(57)【要約】    【課題】  パチンコ機の複数のコネクタを連結する際の作業性を向上させる。    【解決手段】  遊技盤１３に設けたメイン制御基板１４、ランプ制御基板１５の各ハーネス２５の先端部に、それぞれ遊技盤側コネクタ２６を設け、これら複数の遊技盤側コネクタ２６を１つの遊技盤側ハウジング２７内に組み付けてユニット化する。一方、本体枠１２に設けた外部情報端子基板２０、払出制御基板２１、発射制御基板２２、電源ユニット２３、ランプ基板２４の各ハーネス２８の先端部に、それぞれ本体枠側コネクタ２９を設け、これら複数の本体枠側コネクタ２９を１つの本体枠側ハウジング３０内に複数の遊技盤側コネクタ２６と連結可能に配列した状態で組み付けてユニット化する。そして、遊技盤側ハウジング２７と本体枠側ハウジング３０とを連結することで、複数の遊技盤側コネクタ２６と複数の本体枠側コネクタ２９とを一括して連結する。    【選択図】  図１
2005080903.tif 000002
【特許請求の範囲】
【請求項１】
ハーネスに接続された複数のハーネス側コネクタと、基板に設けられた１つ又は複数の基板側コネクタとを連結する遊技機のコネクタ装置であって、
前記複数のハーネス側コネクタを前記基板側コネクタと連結可能に配列した状態で１つのハウジング内に組み付けてユニット化することで、前記複数のハーネス側コネクタを前記基板側コネクタに一括して連結するように構成したことを特徴とする遊技機のコネクタ装置。
【請求項２】
一方側のハーネスに接続された複数の一方側コネクタと、他方側のハーネスに接続された複数の他方側コネクタとを連結する遊技機のコネクタ装置であって、
前記複数の一方側コネクタを一方のハウジング内に組み付けてユニット化すると共に、前記複数の他方側コネクタを前記複数の一方側コネクタと連結可能に配列した状態で他方のハウジング内に組み付けてユニット化することで、前記複数の一方側コネクタと前記複数の他方側コネクタとを一括して連結するように構成したことを特徴とする遊技機のコネクタ装置。
【請求項３】
一方側のハーネスに接続された複数の一方側コネクタと、他方側のハーネスに接続された１つの共通コネクタとを連結する遊技機のコネクタ装置であって、
前記複数の一方側コネクタを前記共通コネクタと連結可能に配列した状態で１つのハウジング内に組み付けてユニット化することで、前記複数の一方側コネクタを前記共通コネクタに一括して連結するように構成したことを特徴とする遊技機のコネクタ装置。
【請求項４】
請求項１乃至３のいずれかに記載の遊技機のコネクタ装置を用いて遊技盤側の電気回路と本体枠側の電気回路とを電気的に接続したことを特徴とする遊技機。
【発明の詳細な説明】
【技術分野】
【０００１】
本発明は、複数のコネクタを連結して電気的接続を行う遊技機のコネクタ装置及びこのコネクタ装置を用いた遊技機に関するものである。
【背景技術】
【０００２】
近年、パチンコ機等の遊技機は、メイン制御基板、払出制御基板、音声制御基板、中継基板等、機能別に分離された複数の回路基板を搭載し、それらの回路基板間や、その回路基板で制御する電気ユニット（例えば球払出ユニット等）の間をハーネスとコネクタで電気的に接続するようにしている。組立能率向上の観点からは、コネクタの数が少ない方が望ましいが、遊技機は、製造後に外部の検査機関で検査を受ける必要があるため、１つの回路基板でも、検査機関の検査対象となる機能とそうでない機能とに分けて別々のコネクタで接続する必要があったり、検査項目毎に分けて別々のコネクタで接続する必要がある。
【０００３】
例えば、中継基板と複数の電気ユニットとを電気的に接続する場合には、特許文献１（実用新案登録第２５０８７８２号公報）に記載されているように、各電気ユニットのハーネス毎にそれぞれコネクタを別個に設けると共に、中継基板に複数のコネクタを設け、中継基板の複数のコネクタにそれぞれ各電気ユニットのコネクタを連結して、各電気ユニットと中継基板とを電気的に接続するようにしている。この場合、中継基板の回路構成から見れば、中継基板の複数のコネクタを１つのコネクタに一体化することが可能であっても、製造後に外部の検査機関で検査を受ける必要があるため、各電気ユニット毎にコネクタを１個ずつ設ける必要がある。
【特許文献１】実用新案登録第２５０８７８２号公報（第２頁〜第３頁等）
【発明の開示】
【発明が解決しようとする課題】
【０００４】
上述したように、遊技機では、１つの回路基板でも、検査機関の検査対象となる機能とそうでない機能とに分けて別々のコネクタで接続する必要があったり、検査項目毎に分けて別々のコネクタで接続する必要があるため、一般的な電気製品に比べてコネクタの数が多くなり、しかも、それらの多くのコネクタに、相手側のコネクタを１個ずつ連結する必要がある。このため、遊技機の製造組立工程において、コネクタを連結する工数が非常に多くなり、組立能率低下、製造コスト増加という問題を生じていた。
【０００５】
本発明は、このような事情を考慮してなされたものであり、従って本発明の目的は、遊技機に組み付けるコネクタの連結工数を削減することができて、組立能率向上、製造コスト低減の要求を満たすことができるようにすることである。
【課題を解決するための手段】
【０００６】
上記目的を達成するために、本発明の請求項１に記載の遊技機のコネクタ装置は、ハーネスに接続された複数のハーネス側コネクタと、基板に設けられた１つ又は複数の基板側コネクタとを連結するものであって、前記複数のハーネス側コネクタを前記基板側コネクタと連結可能に配列した状態で１つのハウジング内に組み付けてユニット化することで、前記複数のハーネス側コネクタを前記基板側コネクタに一括して連結するように構成したものである。このようにすれば、複数のハーネス側コネクタを一括して基板側コネクタに連結することができるので、ハーネス側コネクタと基板側コネクタとを連結する工数を削減することができ、組立能率向上、製造コスト低減を実現することができる。
【０００７】
また、一方側のハーネスに接続された複数の一方側コネクタと、他方側のハーネスに接続された複数の他方側コネクタとを連結する場合は、請求項２のように、複数の一方側コネクタを一方のハウジング内に組み付けてユニット化すると共に、前記複数の他方側コネクタを前記複数の一方側コネクタと連結可能に配列した状態で他方のハウジング内に組み付けてユニット化することで、前記複数の一方側コネクタと前記複数の他方側コネクタとを一括して連結するように構成すると良い。このようにすれば、複数の一方側コネクタと複数の他方側コネクタとを一括して連結することができるので、ハーネス同士のコネクタを連結する工程を削減することができ、組立能率向上、製造コスト低減を実現することができる。
【０００８】
また、一方側のハーネスに接続された複数の一方側コネクタと、他方側のハーネスに接続された１つの共通コネクタとを連結する場合は、請求項３のように、前記複数の一方側コネクタを前記共通コネクタと連結可能に配列した状態で１つのハウジング内に組み付けてユニット化することで、前記複数の一方側コネクタを前記共通コネクタに一括して連結するように構成すると良い。このようにすれば、複数の一方側コネクタを一括して１つの共通コネクタに連結することができるので、ハーネス同士のコネクタを連結する工程を削減することができ、組立能率向上、製造コスト低減を実現することができる。この場合、共通コネクタは、複数の一方側コネクタと連結可能な専用のコネクタを用意する必要があるが、ハウジングを設ける必要がないため、その分、コネクタ装置全体を小型化することができる利点がある。
【０００９】
一般に、パチンコ機等の遊技機は、本体枠の前面側に取り付ける遊技盤を交換して、機種を変更することがあるが、遊技盤を交換する際には、遊技盤側の電気回路と本体枠側の電気回路とを電気的に接続する複数のコネクタを脱着する必要がある。
【００１０】
そこで、請求項４のように、請求項１乃至３のいずれかに記載の遊技機のコネクタ装置を用いて遊技盤側の電気回路と本体枠側の電気回路とを電気的に接続するようにすると良い。このようにすれば、遊技盤を交換する際に、遊技盤側の電気回路と本体枠側の電気回路とを電気的に接続する複数のコネクタを一括して脱着することができるので、遊技盤交換時のコネクタの脱着作業を大幅に簡単化することができて、遊技盤の交換作業を能率良く行うことができる。
【発明を実施するための最良の形態】
【００１１】
以下、本発明を実施するための最良の形態を次の４つの実施例１〜４を用いて説明する。
【実施例１】
【００１２】
本発明をパチンコ機に適用した実施例１を図１及び図２に基づいて説明する。まず、図１を用いてパチンコ機の概略構成を説明する。パチンコ機１１（遊技機）の本体枠１２の前面側には、遊技盤１３が取り付けられ、この遊技盤１３の前面に、センター役物、入賞口、入賞装置等（いずれも図示せず）が設けられている。また、遊技盤１３の裏面側には、パチンコ機１１全体の制御を管理するメイン制御基板１４と、各種のランプ（図示せず）を制御するランプ制御基板１５等が設けられている。
【００１３】
一方、本体枠１２の裏面側の上部左側には、パチンコ島の球補給通路（図示せず）からパチンコ球が補給される球タンク１６が設けられ、この球タンク１６には、そこから流れ出るパチンコ球を整列状態で流下させるタンクレール１７が接続されている。このタンクレール１７の下端には、球供給路１８が設けられ、この球供給路１８の下端部に、パチンコ球（賞球や貸球）を払い出す球払出装置１９が接続されている。
【００１４】
また、本体枠１２の裏面側の上部右側には、ホールコンピュータ等の外部情報機器（図示せず）に電気的に接続される外部情報端子基板２０が設けられ、本体枠１２の裏面側下部には、球払出装置１９を制御する払出制御基板２１と、球発射機（図示せず）を制御する発射制御基板２２と、各制御基板等に直流電圧を供給するための電源ユニット２３等が設けられている。また、本体枠１２の前面側の上部には、各種のランプを組み付けたランプ基板２４が設けられている。
【００１５】
次に、パチンコ機１１の遊技盤１３側の電気回路と本体枠１２側の電気回路との電気的接続について説明する。図１に示すように、遊技盤１３に設けられたメイン制御基板１４に、複数（例えば４本）のハーネス２５が接続されていると共に、ランプ制御基板１５に、ハーネス２５が接続され、各ハーネス２５の先端部に、それぞれ遊技盤側コネクタ２６が設けられている。これら複数の遊技盤側コネクタ２６は、１つの遊技盤側ハウジング２７内に例えば２列に配列した状態で組み付けられてユニット化されている。
【００１６】
一方、本体枠１２に設けられた外部情報端子基板２０、払出制御基板２１、発射制御基板２２、電源ユニット２３、ランプ基板２４には、それぞれハーネス２８が接続され、各ハーネス２８の先端部に、それぞれ本体枠側コネクタ２９が設けられている。これら複数の本体枠側コネクタ２９は、遊技盤側コネクタ２６と連結できるように本体枠側ハウジング３０によって例えば２列に配列した状態で保持されている。
【００１７】
この場合、各遊技盤側コネクタ２６と各本体枠側コネクタ２９は、メイン制御基板１４の各ハーネス２５に設けられた遊技盤側コネクタ２６が、それぞれ外部情報端子基板２０、払出制御基板２１、発射制御基板２２、電源ユニット２３の各ハーネス２８に設けられた本体枠側コネクタ２９に連結され、ランプ制御基板１５のハーネス２５に設けられた遊技盤側コネクタ２６が、ランプ基板２４のハーネス２８に設けられた本体枠側コネクタ２９に連結されるように、各遊技盤側コネクタ２６と各本体枠側コネクタ２９とが配置されている。
【００１８】
例えば、メイン制御基板１４が検査対象の場合には、メイン制御基板１４と、外部情報端子基板２０、払出制御基板２１、発射制御基板２２、電源ユニット２３との間に電気的に接続されるコネクタ２６、２９が検査対象コネクタとなり、ランプ制御基板１５とランプ基板２４との間に電気的に接続されるコネクタ２６、２９が非検査対象コネクタとなる。
【００１９】
図２に示すように、遊技盤側ハウジング２７の内部には、複数の遊技盤側コネクタ２６を取り付けるための複数のコネクタ収納部３１が仕切り形成され、各コネクタ収納部３１の内壁面にそれぞれ係合爪３２が設けられている。各コネクタ収納部３１にそれぞれ遊技盤側コネクタ２６を収納して各コネクタ収納部３１の係合爪３２を各遊技盤側コネクタ２６の被係合部３３に係合させることで、複数の遊技盤側コネクタ２６（一方側コネクタ）が１つの遊技盤側ハウジング２７内に組み付けられてユニット化されている。また、各遊技盤側コネクタ２６に接続されたハーネス２５は、遊技盤側ハウジング２７の背面に設けられた貫通孔３４を通って遊技盤側ハウジング２７の外部に導出されている。
【００２０】
遊技盤側ハウジング２７と同じように、本体枠側ハウジング３０の内部には、複数の本体枠側コネクタ２９を取り付けるための複数のコネクタ収納部３５が仕切り形成され、各コネクタ収納部３５の内壁面にそれぞれ係合爪３６が設けられている。各コネクタ収納部３５内にそれぞれ本体枠側コネクタ２９を収納して各本体枠側コネクタ２９の係合爪３６を各本体枠側コネクタ２９の被係合部３７に係合させることで、複数の本体枠側コネクタ２９（他方側コネクタ）が１つの本体枠側ハウジング３０内に組み付けられてユニット化されている。また、本体枠側コネクタ２９に接続されたハーネス２８は、本体枠側ハウジング３０の背面に設けられた貫通孔３８を通って本体枠側ハウジング３０の外部に導出されている。
【００２１】
そして、図２（ｂ）に示すように、遊技盤側ハウジング２７と本体枠側ハウジング３０とを連結することで、複数の遊技盤側コネクタ２６と複数の本体枠側コネクタ２９とが一括して連結されるようになっている。これにより、メイン制御基板１４の各ハーネス２５が、それぞれ外部情報端子基板２０、払出制御基板２１、発射制御基板２２、電源ユニット２３の各ハーネス２８に接続され、ランプ制御基板１５のハーネス２５が、ランプ基板２４のハーネス２８に接続される。
【００２２】
尚、遊技盤側ハウジング２７と本体枠側ハウジング３０は、図示しない所定箇所をねじ止めすることで、遊技盤側ハウジング２７と本体枠側ハウジング３０とを連結状態で保持するようになっている。或は、遊技盤側ハウジング２７と本体枠側ハウジング３０のうちの一方に設けたロックレバーの操作によって、遊技盤側ハウジング２７と本体枠側ハウジング３０とを連結状態で保持するようにしても良い。或は、遊技盤側ハウジング２７と本体枠側ハウジング３０のうちの一方に設けた係合爪を他方の被係合部に弾性係合させることで、遊技盤側ハウジング２７と本体枠側ハウジング３０とを連結状態で保持するようにしても良い。
【００２３】
以上説明した本実施例１では、遊技盤１３側の各ハーネス２５に設けられた複数の遊技盤側コネクタ２６を１つの遊技盤側ハウジング２７内に組み付けてユニット化すると共に、本体枠１２側の各ハーネス２８に設けられた複数の本体枠側コネクタ２９を１つの本体枠側ハウジング３０内に組み付けてユニット化することで、複数の遊技盤側コネクタ２６と複数の本体枠側コネクタ２９とを一括して連結するようにしたので、遊技盤１３側のハーネス２５と本体枠１２側のハーネス２８とを接続するコネクタ２６，２９の連結工数を大幅に削減することができて、パチンコ機１１の組立能率向上、製造コスト低減を実現することができる。
【００２４】
しかも、本実施例１では、遊技盤１３側の電気回路と本体枠１２側の電気回路とを電気的に接続する複数の遊技盤側コネクタ２６と複数の本体枠側コネクタ２９とを、それぞれ遊技盤側ハウジング２７と本体枠側ハウジング３０内に組み付けるようにしたので、遊技盤１３を交換する際に、複数の遊技盤側コネクタ２６と複数の本体枠側コネクタ２９とを一括して脱着することができ、遊技盤１３交換時のコネクタの脱着作業を大幅に簡単化することができ、遊技盤１３の交換作業を能率良く行うことができるという利点もある。
【実施例２】
【００２５】
次に、図３を用いて本発明の実施例２を説明する。但し、前記実施例１と実質的に同一部分には同一符号を付して説明を簡略化し、主として前記実施例１と異なる部分について説明する。
【００２６】
本実施例２では、図３に示すように、本体枠１２側の各ハーネス２８の先端部に、１つの共通コネクタ３９（ハウジング兼用コネクタ）を設け、遊技盤１３側の各ハーネス２５に設けた複数の遊技盤側コネクタ２６（一方側コネクタ）を１つの遊技盤側ハウジング２７内に組み付けてユニット化することで、複数の遊技盤側コネクタ２６を一括して本体枠１２側の１つの共通コネクタ３９に連結するようにしている。
【００２７】
この構成においても、遊技盤１３側のハーネス２５と本体枠１２側のハーネス２８とを接続するコネクタ２６，３９の連結工数を大幅に削減することができて、パチンコ機１１の組立能率向上、製造コスト低減を実現することができる。この場合、共通コネクタ３９は、複数の遊技盤側コネクタ２６と連結可能な専用のコネクタを用意する必要があるが、ハウジングを設ける必要がないため、その分、コネクタ装置全体を小型化することができる利点がある。
【００２８】
尚、本実施例２は、非検査対象コネクタに対してのみ実施するようにしても良い。
また、遊技盤１３側の各ハーネス２５の先端部に、１つの共通コネクタを設け、本体枠１２側の各ハーネス２８に設けた複数の本体枠側コネクタ２９を１つの本体枠側ハウジング３０内に組み付けてユニット化することで、複数の本体枠側コネクタ２９を一括して遊技盤１３側の１つの共通コネクタに連結するようにしても良い。
【００２９】
また、上記各実施例１、２では、遊技盤１３側のハーネス２５と本体枠１２側のハーネス２８とを接続するコネクタ装置に本発明を適用したが、これに限定されず、遊技盤１３側のハーネス同士の接続や本体枠１２側のハーネス同士の接続に用いるコネクタ装置に本発明を適用しても良い。
【実施例３】
【００３０】
次に、本発明の実施例３を図４及び図５を用いて説明する。但し、前記実施例１と実質的に同一部分には同一符号を付して説明を簡略化し、主として前記実施例１と異なる部分について説明する。
【００３１】
本実施例３では、遊技盤１３側の各ハーネス２５に設けた複数の遊技盤側コネクタ２６を１つの遊技盤側ハウジング２７内に組み付けてユニット化することで、複数の遊技盤側コネクタ２６を一括して本体枠１２側に設けられる中継基板４０の複数の基板側コネクタ４１に連結するようにしている。
【００３２】
具体的には、図４に示すように、中継基板４０には、複数の基板側コネクタ４１が例えば一列に設けられ、一方、複数の遊技盤側コネクタ２６は、上記複数の基板側コネクタ４１と連結できるように遊技盤側ハウジング２７（図５参照）内に１列に配列した状態で組み付けられてユニット化されている。
【００３３】
また、中継基板４０は、ベース部材４２とカバー部材４３とからなる基板ケース４４内に収容されている。カバー部材４３のうちの基板側コネクタ４１に相当する部分には、ハウジング取付孔４５が設けられ、このハウジング取付孔４５に、遊技盤側ハウジング２７を差し込むことで、複数の遊技盤側コネクタ２６が一括して複数の基板側コネクタ４１に連結されるようになっている。
【００３４】
また、遊技盤側ハウジング２７の側面には、弾性変形可能な係合爪４６（図５参照）が設けられ、この係合爪４６をカバー部材４３の被係合部４７に弾性係合させることで、遊技盤側ハウジング２７がハウジング取付孔４５に差し込まれた状態で保持されるようになっている。
【００３５】
以上説明した本実施例３では、遊技盤１３側の各ハーネス２５に設けられた複数の遊技盤側コネクタ２６を１つの遊技盤側ハウジング２７内に組み付けてユニット化することで、複数の遊技盤側コネクタ２６を一括して中継基板４０の複数の基板側コネクタ４１に連結するようにしたので、遊技盤１３側のハーネス２５と本体枠１２側の中継基板４０とを接続するコネクタ２６，４１の連結工数を大幅に削減することができる。
【００３６】
尚、本実施例３では、中継基板４０の基板ケース４４（カバー部材４３）に、遊技盤側ハウジング２７を組み付けるようにしたが、基板側コネクタ４１を組み付けるハウジングを設けて、このハウジングに遊技盤側ハウジング２７を組み付けるようにしても良い。
【実施例４】
【００３７】
次に、本発明の実施例４を図６を用いて説明する。但し、前記実施例３と実質的に同一部分には同一符号を付して説明を簡略化し、主として前記実施例３と異なる部分について説明する。
【００３８】
本実施例４では、図６に示すように、遊技盤側ハウジング２７に、中継基板４０の方に向かって延びる弾性変形可能な係合爪４８を設け、この係合爪４８を中継基板４０の被係合部４９に弾性係合させることで、遊技盤側ハウジング２７を中継基板４０に固定するようになっている。
本実施例４においても、前記実施例３と同じ効果を得ることができる。
【００３９】
尚、上記各実施例３、４では、中継基板４０に設けられた複数の基板側コネクタ４１に、複数の遊技盤側コネクタ２６を一括して連結するようにしたが、中継基板４０に設けられた１つの共通コネクタに、複数の遊技盤側コネクタ２６を一括して連結するようにしても良い。
【００４０】
また、上記各実施例３、４では、遊技盤１３側のハーネス２５と本体枠１２側の中継基板４０とを接続するコネクタ装置に本発明を適用したが、本体枠１２側のハーネス２８と遊技盤１３側の中継基板４０とを接続するコネクタ装置に本発明を適用しても良い。更に、中継基板４０以外の基板（制御基板等）とハーネスとを接続するコネクタ装置に本発明を適用しても良い。
【００４１】
その他、本発明は、コネクタを組み付けるハウジングに、コネクタの接続方向を規制する位置決め手段を設けるようにしても良い。また、ハウジング内に組み付けるコネクタの配列は、１列や２列に限定されず、３列以上にしても良い等、適宜変更して実施できる。      
【００４２】
また、コネクタは、その接続端子の形状や接続時に流れる電流が異なっているものを集約し、ハウジングや共通コネクタに一括して設けるようにしても良い。
また、ハーネスに接続されたコネクタを基板に直に設けるようにしても良い。
【００４３】
また、本発明の適用範囲は、一般のパチンコ機に限定されず、アレンジ式のパチンコ機やパチンコ球を使用してスロットルゲームを行う遊技機等、種々の遊技機に本発明を適用しても良い。
【図面の簡単な説明】
【００４４】
【図１】本発明の実施例１におけるパチンコ機の概略構成図である。
【図２】実施例１におけるコネクタ及びその周辺部の縦断面図で、（ａ）はコネクタ非連結時の状態を示す図、（ｂ）はコネクタ連結時の状態を示す図である。
【図３】実施例２におけるコネクタ及びその周辺部の縦断面図で、（ａ）はコネクタ非連結時の状態を示す図、（ｂ）はコネクタ連結時の状態を示す図である。
【図４】実施例３におけるコネクタ及びその周辺部の縦断面図で、（ａ）はコネクタ非連結時の状態を示す図、（ｂ）はコネクタ連結時の状態を示す図である。
【図５】実施例３におけるハウジングの外観斜視図である。
【図６】実施例４におけるコネクタ及びその周辺部の縦断面図である。
【符号の説明】
【００４５】
１１…パチンコ機（遊技機）、１２…本体枠、１３…遊技盤、１４…メイン制御基板、１５…ランプ制御基板、２０…外部情報端子基板、２１…払出制御基板、２２…発射制御基板、２３…電源ユニット、２４…ランプ基板、２５…ハーネス、２６…遊技盤側コネクタ（一方側コネクタ）、２７…遊技盤側ハウジング、２８…ハーネス、２９…本体枠側コネクタ（他方側コネクタ）、３０…本体枠側ハウジング、３９…共通コネクタ、４０…中継基板、４１…基板側コネクタ４１、４４…基板ケース、４５…ハウジング取付孔、４６…係合爪、４７…被係合部、４８…係合爪、４９…被係合部
【図１】
2005080903.tif 000003
【図２】
2005080903.tif 000004
【図３】
2005080903.tif 000005
【図４】
2005080903.tif 000006
【図５】
2005080903.tif 000007
【図６】
2005080903.tif 000008